(57)【要約】【課題】グレアカットとコンパクト化を図りつつ容易にランプ交換ができる照明器具を提供する。【解決手段】光源１４を覆うフード１８が、相対的に移動可能かつ固定可能である内筒１６と外筒１７により構成されており、外筒１７の内径がφ６０ｍｍ以下なのでコンパクト化を図ることができる。また、伸ばした状態でフード１８の先端から光源１４までの距離が４０ｍｍ以上あるので、点灯時に内筒１６および外筒１７を相対的に伸ばして使用することにより、グレアカットを行うことができる。また、内筒１６および外筒１７を重ねてフード１８を短くすることにより、光源１４を容易に交換することができる。さらに、内筒１６および外筒１７を途中位置で停止してフード１８の長さを調整することにより、配光の調整を行うことができる。【選択図】図３
2010123535.tif 000002
【特許請求の範囲】
【請求項１】
光源と、この光源からの光を所定方向へ反射する反射板と、前記光源および前記反射板を内包するフードとを有し、
前記フードが、相対的に移動可能かつ停止可能に内嵌または外嵌する内筒および外筒を有する照明器具であって、
前記外筒の内径がφ６０ｍｍ以下で、かつ、前記内筒または前記外筒を移動させて前記フードを最大限に伸ばした状態で当該フードの先端から前記光源までの距離が４０ｍｍ以上であることを特徴とする照明器具。
【請求項２】
光源と、この光源からの光を所定方向へ反射する反射板と、前記光源および前記反射板を内包するフードとを有し、
前記フードが、相対的に移動可能かつ停止可能に内嵌または外嵌する内筒および外筒を有する照明器具であって、
前記光源と前記反射板との間の隙間が１０ｍｍ以下で、かつ、前記内筒または前記外筒を移動させて前記フードを最大限に伸ばした状態で当該フードの先端から前記光源までの距離が２５ｍｍ以上であることを特徴とする照明器具。
【発明の詳細な説明】
【技術分野】
【０００１】
本発明は、伸縮可能なフードを有する照明器具に関するものである。
【背景技術】
【０００２】
従来より、相対的に移動可能かつ停止可能に内嵌または外嵌する内筒および外筒で構成されるフードを有する照明器具が提案されている（例えば特許文献１参照）。
図６に示すように、特許文献１に記載の照明器具１００では、天井１０１の内部に外筒フード１０２が取り付けられる。この外筒フード１０２の上底部１０３には、光源であるランプ１０４が取り付けられている。外筒フード１０２の内側には内筒フード１０５が内嵌されている。そして、内筒フード１０５の外周面に形成された雌ネジ１０６に対し、外筒フード１０２の内周面に形成された雄ネジ１０７が螺合している。
【０００３】
従って、外筒フード１０２に対し内筒フード１０５を回転させると、外筒フード１０２に対し内筒フード１０５が上下動し、天井１０１から出没する。これによりランプ１０４から、内筒フード１０５の開口部１０８までの距離は変化するので、照明範囲が調節される。
【特許文献１】特開平７−２１１１０９号公報（第１図）
【発明の開示】
【発明が解決しようとする課題】
【０００４】
ところで、図７に示す照明器具１１０では、グレアカットおよびコンパクト化のために、内径が小さな円筒形状のフード１１１にランプ１１２が収容されている。このような照明器具１１０において、ランプ１１２の交換を行う際には、フード１１１を取り外してランプ１１２の交換を行わねばならないため、面倒であるという問題があった。
【０００５】
また、図８に示す照明器具１２０は、天井１２１に埋め込まれた枠１２２に取り付けられて天井裏に収容されている。この照明器具１２０は、内筒１２３の奥部にランプ１２４を収容する灯体１２５が設けられている。このような照明器具１２０においてランプ１２４の交換を行う際には、内筒１２３を天井１２１裏から引き出して、内筒１２３から灯体１２５を取り出し、ランプ１２４の交換を行うので、面倒であるという問題があった。
【０００６】
本発明は、従来の問題を解決するためになされたもので、グレアカットとコンパクト化を図りつつ容易にランプ交換ができる照明器具を提供することを目的とする。
【課題を解決するための手段】
【０００７】
本発明の照明器具は、光源と、この光源からの光を所定方向へ反射する反射板と、前記光源および前記反射板を内包するフードとを有し、前記フードが、相対的に移動可能かつ停止可能に内嵌または外嵌する内筒および外筒を有する照明器具であって、前記外筒の内径がφ６０ｍｍ以下で、かつ、前記内筒または前記外筒を移動させて前記フードを最大限に伸ばした状態で当該フードの先端から前記光源までの距離が４０ｍｍ以上である構成を有している。
【０００８】
この構成により、光源を覆うフードが、相対的に移動可能かつ固定可能である内筒と外筒により構成されており、外筒の内径がφ６０ｍｍ以下なのでコンパクト化を図ることができる。また、伸ばした状態でフードの先端から光源までの距離が４０ｍｍ以上あるので、点灯時に内筒および外筒を相対的に伸ばして使用することにより、グレアカットを行うことができる。
また、内筒および外筒を重ねてフードを短くすることにより、光源を容易に交換することができる。
さらに、内筒および外筒を途中位置で停止してフードの長さを調整することにより、配光の調整を行うことができる。
【０００９】
また、本発明の照明器具は、光源と、この光源からの光を所定方向へ反射する反射板と、前記光源および前記反射板を内包するフードとを有し、前記フードが、相対的に移動可能かつ停止可能に内嵌または外嵌する内筒および外筒を有する照明器具であって、前記光源と前記反射板との間の隙間が１０ｍｍ以下で、かつ、前記内筒または前記外筒を移動させて前記フードを最大限に伸ばした状態で当該フードの先端から前記光源までの距離が２５ｍｍ以上である構成を有している。
【００１０】
この構成により、光源を覆うフードが、相対的に移動可能かつ固定可能である内筒と外筒により構成されており、光源と反射板との間の隙間が１０ｍｍ以下なので、コンパクト化を図ることができる。また、伸ばした状態でフードの先端から光源までの距離が２５ｍｍ以上あるので、点灯時に内筒および外筒を相対的に伸ばして使用することにより、グレアカットを行うことができる。
また、内筒および外筒を重ねてフードを短くすることにより、光源を容易に交換することができる。
さらに、内筒および外筒を途中位置で停止してフードの長さを調整することにより、配光の調整を行うことができる。
【発明の効果】
【００１１】
本発明は、光源を覆うフードが、相対的に移動可能かつ固定可能である内筒と外筒により構成されており、外筒の内径がφ６０ｍｍ以下なのでコンパクト化を図ることができる。また、伸ばした状態でフードの先端から光源までの距離が４０ｍｍ以上あるので、点灯時に内筒および外筒を相対的に伸ばして使用することにより、グレアカットを行うことができる。また、内筒および外筒を重ねてフードを短くすることにより、光源を容易に交換することができる。さらに、内筒および外筒を途中位置で停止してフードの長さを調整することにより、配光の調整を行うことができるという効果を有する照明器具を提供することができるものである。
【発明を実施するための最良の形態】
【００１２】
以下、本発明の実施の形態の照明器具について、図面を用いて説明する。
（第１実施形態）
図１（ａ）は本発明の第１実施形態にかかる照明器具を示す分解斜視図、図１（ｂ）は（ａ）におけるｂ部の拡大図、図２（ａ）はランプ交換時の側面図、図２（ｂ）は使用時の側面図、図３（ａ）はフードを伸ばした状態における寸法を示す正面図、図３（ｂ）は断面図である。
【００１３】
図１に示すように、第１実施形態にかかる照明器具は、ダクトレール（図示省略）に嵌着して使用するスポットライト１０であり、電圧制御及び電流制御回路基板を組込んだ電源ブロック１１の上面にダクトレール用コンセント１２を有する。
従って、スポットライト１０は、ダクトレールに沿って移動可能かつ水平方向に旋回可能となっている。
【００１４】
電源ブロック１１の下面には、一対のアーム１３、１３が取り付けられており、アーム１３の先端には光源であるランプ１４を内部に有する灯体１５が、上下方向へ回動可能に取り付けられている。
【００１５】
灯体１５の先端部には、円筒形状の内筒１６が設けられており、内筒１６の基端部は円錐台状に内径が直線的に縮径しており、反射板１６１となっている。内筒１６には外筒１７がスライド可能に外嵌して、フード１８を構成している。内筒１６には、外側に突出する外筒固定バネ１９が設けられている。一方、外筒１７の内面にはガイド溝１７１が凹設されており、内筒１６の外筒固定バネ１９がスライド可能に嵌合している。
従って、外筒固定バネ１９の押圧力により、外筒１７はスライドの途中位置で内筒１６に固定可能になっている。
【００１６】
図３に示すように、外筒１７の内径Ｄ１をφ６０ｍｍ以下とし、外筒１７を移動させてフード１８を最大限に伸ばした状態（図３（ｂ）参照）でフード１８の先端１８１からランプ１４までの距離Ｌ１を４０ｍｍ以上とする。
【００１７】
以上、説明した本発明の第１実施形態にかかる照明器具であるスポットライト１０によれば、ランプ１４を覆うフード１８が、相対的に移動可能かつ固定可能である内筒１６と外筒１７により構成されており、外筒１７の内径がφ６０ｍｍ以下としたのでコンパクト化を図ることができる。また、伸ばした状態でフード１８の先端１８１からランプ１４までの距離が４０ｍｍ以上としたので、点灯時に内筒１６および外筒１７を相対的に伸ばして使用することにより、グレアカットを行うことができる。
また、内筒１６および外筒１７を重ねてフード１８を短くすることにより、ランプ１４を容易に交換することができる。
さらに、外筒固定バネ１９により内筒１６および外筒１７を途中位置で停止させ、フード１８の長さを調整することにより、配光の調整を行うことができる。
【００１８】
（第２実施形態）
図４は本発明の第２実施形態にかかる照明器具を示す分解斜視図、図５（ａ）は使用時を示す断面図、図５（ｂ）はランプ交換時を示す断面図である。
【００１９】
図４および図５に示すように、本発明の第２実施形態にかかる照明器具は、天井２１に埋め込んで使用するダウンライト２０である。ダウンライト２０は、天井２１に設けられた開口部２１１に取り付けられる器具本体２２を有している。
器具本体２２は、下方が開口（開口部２２１）し、天板２２２を有する円筒部材である。器具本体２２の先端側（開口側）端部外周面には、先端が外側に折り曲げられた器具取付バネ２２３が周方向に所定間隔で複数個設けられている。また、器具本体２２の内周面の天板２２２に近い部分には、開口部２２１に向かって内筒回転防止金具２２４が内側へ突出して取り付けられている。
【００２０】
従って、器具本体２２を天井２１の開口部２１１に取り付ける際には、器具取付バネ２２３の先端を器具本体２２の外周面側に弾性変形させ、器具取付バネ２２３の先端を開口部２１１の内周面に押し込む。その後、器具本体２２を天井２１裏へ押し込むと、器具取付バネ２２３が開いて、器具本体２２を開口部２１１に係止する。
【００２１】
器具本体２２の内部には、器具本体２２に固定される外筒２３と、外筒２３に対して摺動可能な内筒２４とが収容されており、フード２８を構成している。
【００２２】
外筒２３は、円筒形状の上部２３１と、上部２３１の下側に連続して円錐台状の反射板としての下部２３２を有している。下部２３２の先端（下端）は、器具本体２２の下端部に旋回可能に取り付けられている。上部２３１には、傾斜した切欠き２３３が、上部２３１の中心軸に対して対称に一対設けられており、切欠き２３３に沿って移動可能な固定ネジ２３４が設けられている。
【００２３】
内筒２４は円筒形状をしており、上側の開口には、円板状の蓋２５が取り付けられる。蓋２５の下面には、ランプ２７を装着するソケット２６が取り付けられている。また、蓋２５の外縁部には、器具本体２２の内筒回転防止金具２２４が通過可能な切欠き２５１が設けられている。
【００２４】
内筒２４の側面には、ガイド溝２４１が軸方向に凹設されている。ガイド溝２４１には、器具本体２２の回転防止金具２２４が摺動可能に嵌合する。これにより、内筒２４は、上下方向に移動する際に回転が規制される。
内筒２４の側面には、内筒２４の中心軸に対して対称な位置に、一対のネジ穴２４２が設けられている。このネジ穴２４２には、外筒２３に設けられている固定ネジ２３４が螺合する。固定ネジ２３４は、外筒２３をある程度以上の力で内筒２４に対して回転させると回転可能であるが、任意の回転位置で固定される程度の強さで締結されている。
【００２５】
従って、固定ネジ２３４の締結力による摩擦力を超える力で外筒２３を旋回させても、器具本体２２の内筒回転防止金具２２４が内筒２４のガイド溝２４１に嵌合しているので内筒２４は旋回しない。このため、内筒２４に先端が螺合している固定ネジ２３４が、外筒２３の切欠き２３３に沿って上下に移動することになるので、内筒２４は天井２１裏の器具本体２２の内部において外筒２３に対して上下移動する。そして、外筒２３の回転を止めると、固定ネジ２３４の締結力による摩擦力により、内筒２４は任意の位置で外筒２３に固定される。
【００２６】
図５（ａ）に示すように、ランプ２７と反射板である外筒２３の下部２３２との間の隙間Ｌ２は１０ｍｍ以下であり、ランプ２７交換時に作業者の指が入る程度の大きさである。かつ、内筒２４を移動させて外筒２３と内筒２４を最大限に伸ばした状態で、外筒２３の先端からランプ２７までの距離Ｌ１は２５ｍｍ以上となっている。
【００２７】
以上、説明した本発明の第２実施形態にかかる照明器具であるダウンライト２０によれば、この構成により、ランプ２７を覆うフードが、相対的に移動可能かつ固定可能である内筒２４と外筒２３により構成されており、ランプ２７と反射板である外筒２３の下部２３２との間の隙間Ｌ２が１０ｍｍ以下なので、コンパクト化を図ることができる。また、伸ばした状態で外筒２３の先端からランプ２７までの距離Ｌ１が２５ｍｍ以上あるので、点灯時に内筒２４および外筒２３を相対的に伸ばして使用することにより、グレアカットを行うことができる。
また、ランプ２７と反射板である外筒２３の下部２３２との間の隙間Ｌ２が１０ｍｍ以下と小さいが、内筒２４および外筒２３を重ねて短くすることにより、隙間Ｌ２に指を挿入してランプ２７を交換することができる。
さらに、内筒２４および外筒２３を途中位置で停止して長さを調整することにより、配光の調整を行うことができる。
【００２８】
なお、本発明の照明器具は、前述した各実施形態に限定されるものでなく、適宜な変形，改良等が可能である。
例えば、前述した第１実施形態においては、スポットライト１０について、外筒１７の内径Ｄ１をφ６０ｍｍ以下とし、フード１８の先端１８１からランプ１４までの距離Ｌ１を４０ｍｍ以上としたが、ダウンライト２０について同様に適用することができる。
また、前述した第２実施形態においては、ダウンライト２０について、ランプ２７と反射板との間の隙間Ｌ２を１０ｍｍ以下とし、外筒２３の先端からランプ２７までの距離Ｌ１は２５ｍｍ以上としたが、スポットライト１０について同様に適用することができる。
【図面の簡単な説明】
【００２９】
【図１】（ａ）は本発明の第１実施形態にかかる照明器具を示す分解斜視図、（ｂ）は（ａ）におけるｂ部の拡大図
【図２】（ａ）はランプ交換時の側面図、（ｂ）は使用時の側面図
【図３】（ａ）はフードを伸ばした状態における寸法を示す正面図、（ｂ）は断面図
【図４】本発明の第２実施形態にかかる照明器具を示す分解斜視図
【図５】（ａ）は使用時を示す断面図、（ｂ）はランプ交換時を示す断面図
【図６】従来の照明器具の断面図
【図７】（ａ）従来のスポットライトの正面図、（ｂ）側面図
【図８】（ａ）従来のダウンライトを取り出した状態を示す正面図、（ｂ）ダウンライトの分解斜視図
【符号の説明】
【００３０】
１０  スポットライト（照明器具）
１４  ランプ（光源）
１６  内筒
１６１  反射板
１７  外筒
１８  フード
２０  ダウンライト（照明器具）
２３  外筒
２３２  下部（反射板）
２４  内筒
２７  ランプ（光源）
２８  フード
【図１】
2010123535.tif 000003
【図２】
2010123535.tif 000004
【図３】
2010123535.tif 000005
【図４】
2010123535.tif 000006
【図５】
2010123535.tif 000007
【図６】
2010123535.tif 000008
【図７】
2010123535.tif 000009
【図８】
2010123535.tif 000010